(57)【要約】【課題】工作機械等の非常停止用の押釦スイッチを囲繞するスイッチガード部の取付けパネルからの高さを調節自在にする。【解決手段】スイッチ操作時以外のスイッチ押込みを防止する押釦スイッチのガード機構であって、押釦スイッチ１を囲繞してスイッチ取付け側パネル１２から突出自在なスイッチガード部２の外周壁５にスペーサ１０が装着自在なスペーサ装着部を形成し、スイッチガード部の外周壁に取付けナット１１を取付けることによりスイッチガード部２をスイッチ取付け側パネル１２に固定し、スペーサ１０によってスイッチ取付け側パネル１２からのスイッチガード部２の外周壁５の突出量を調節可能に構成する。【選択図】  図１
2004207036.tif 000002
【特許請求の範囲】
【請求項１】
スイッチ操作時以外のスイッチ押込みを防止する押釦スイッチのガード機構であって、
押釦スイッチを囲繞してスイッチ取付け側パネルから突出自在なスイッチガード部の外周壁に、スペーサが装着自在なスペーサ装着部を形成し、
前記スペーサによって前記スイッチ取付け側パネルからの前記スイッチガード部の外周壁の突出量を調節可能に構成したことを特徴とする押釦スイッチのガード機構。
【請求項２】
着脱自在な凹凸の嵌合手段により前記スイッチガード部の外周壁と前記スイッチ取付け側パネルとは直接に、または前記スペーサを介して相対回動不能に構成されていることを特徴とする請求項１記載の押釦スイッチのガード機構。
【請求項３】
前記スペーサは前記スイッチガード部の外周壁に着脱自在に嵌合可能なリング状部材から構成されていることを特徴とする請求項１又は２記載の押釦スイッチのガード機構。
【請求項４】
前記スペーサは前記スイッチガード部の外周壁の外径よりもやや小さい内径を有する弾性リング状部材に１つの切断部を形成することによって拡開可能に形成されていることを特徴とする請求項１又は２記載の押釦スイッチのガード機構。
【請求項５】
前記スペーサは一対の半割リングを凹凸の嵌合手段を介して着脱自在に組み付けることにより前記スイッチガード部の外周壁に嵌合可能な１つのリング状部材から構成されていることを特徴とする請求項１又は２記載の押釦スイッチのガード機構。
【請求項６】
前記スペーサのそれぞれを異なる色彩に着色して前記スイッチガード部への取付け個数を色彩の数によって認識可能に構成したことを特徴とする請求項１ないし５のいずれかに記載の押釦スイッチのガード機構。
【請求項７】
スイッチ操作時以外のスイッチ押込みを防止する押釦スイッチのガード機構であって、
押釦スイッチを囲繞してスイッチ取付け側パネルから突出自在なスイッチガード部の外周壁にスペーサが装着自在なスペーサ装着部を形成し、
さらに前記スイッチガード部の外周壁に締結部材を取付けることにより前記スイッチガード部を前記スイッチ取付け側パネルに固定し、
前記スペーサによって前記スイッチ取付け側パネルからの前記スイッチガード部の外周壁の突出量を調節可能に構成したことを特徴とする押釦スイッチのガード機構。
【請求項８】
前記締結部材は前記スイッチガード部の外周壁に螺合自在な取付けナットから構成されていることを特徴とする請求項７記載の押釦スイッチのガード機構。
【請求項９】
前記締結部材は、前記スイッチガード部の外周壁に形成されて軸線方向に配列された複数の歯部に噛合自在な複数の弾性爪を枠体から軸線方向に突設することを特徴とする請求項７記載の押釦スイッチのガード機構。
【請求項１０】
前記締結部材は前記スイッチガード部の外周壁に螺合自在な前記スペーサから構成されていることを特徴とする請求項７記載の押釦スイッチのガード機構。
【請求項１１】
スイッチ操作時以外のスイッチ押込みを防止する非常停止時に使用される押釦スイッチのガード機構であって、
押釦スイッチを取付ける取付け壁部から前記押釦スイッチを囲繞する外周壁を起立してスイッチガード部を形成し、
前記スイッチガード部の外周壁にスペーサが着脱自在なスペーサ装着部を形成し、
前記スイッチガード部の外周壁をスイッチ取付け側パネルの開口部から摺動自在に突出させ、
前記スイッチガード部の外周壁に取付けナットを螺合することにより前記スイッチガード部を前記スイッチ取付け側パネルに固定し、
前記スペーサ装着部に１つないし２つ以上のスペーサを取付けることにより前記スイッチ取付け側パネルからの前記スイッチガードの外周壁の突出量を調節可能に構成したことを特徴とする押釦スイッチのガード機構。
【請求項１２】
前記スイッチガード部における前記外周壁の基部を縮径して小外径部に形成し、該小外径部に前記スペーサ装着部を形成するとともに前記取付けナットを螺合自在に形成して、前記小外径部を前記スイッチ取付け側パネルの開口部から摺動自在に突出可能に形成し、前記スイッチ取付け側パネルの開口部を前記小外径部の径に対応させて縮径可能に構成したことを特徴とする請求項１１記載の押釦スイッチのガード機構。
【請求項１３】
前記スイッチガード部の前記取付け壁部と前記外周壁との境界部に油抜き孔を形成したことを特徴とする請求項１１又は１２記載の押釦スイッチのガード機構。
【発明の詳細な説明】
【０００１】
【発明の属する技術分野】
本発明は、スイッチ操作時以外に押釦スイッチが押し込まれること、例えば人体や物体が誤って押釦スイッチに触れることにより押釦スイッチが押し込まれることを防止する押釦スイッチ、特に非常停止時に使用される非常停止用押釦スイッチのガード機構に関する。
【０００２】
【従来の技術】
工作機械等の設備を非常停止させるために使用されるスイッチとして一般的に押釦スイッチが用いられている。この種の押釦スイッチは本体部が設備に設けられた筐体内に埋め込まれており、操作部が筐体外に突出している。
【０００３】
このため操作部に誤って人体や物体等が触れることにより押釦スイッチが押し込まれることがある。そこでこれを防止すべく従来から押釦スイッチにスイッチガードを設けている。これを図１４を参照して説明する。
【０００４】
１００は押釦スイッチ、１０１はスイッチガード、１０２は設備等に設けられた図示しない筐体に取付けられた取付けパネルで、スイッチガード１０１は押釦スイッチ１００の操作部１００ａを取付けるための取付け壁１０１ａを有しており、取付け壁１０１ａに形成された取付け孔に操作部１００ａの基部が挿通されている。取付け壁１０１ａの外周からは操作部１００ａを囲繞するガード周壁１０３が起立して操作部１００ａのやや上方に達している。
【０００５】
このようにスイッチガード１０１は押釦スイッチ１００を囲繞して押釦スイッチ１００よりも上方に達しているため、人体や物体が誤ってスイッチガード１０１に触れることがあっても、これによって押釦スイッチ１００が押し込まれることはない。
【０００６】
【発明が解決しようとする課題】
しかしながら上記従来例では、取付けパネル１０２への押釦スイッチ１００の取付けは操作部１００ａの基部を取付けパネル１０２の取付け孔に挿通させて、取付けパネル１０２裏面から突出する基部に図示しないナットを螺合させることにより行っているため、取付けパネル１０２からのガード周壁１０３の高さを調節できなかった。
【０００７】
このため次のような不都合があった。すなわち取付けパネル１０２の外側には、取付けパネル１０２からある間隔をおいて化粧板が設けられており、ガード周壁１０３はこの化粧板の透孔から外部に突出するようになっている。
【０００８】
この化粧板と取付けパネル１０２との間隔は一定ではなく、このため化粧板からのガード周壁１０３の突出量に多寡が生じて突出寸法がばらつくことがあるが、ガード周壁１０３の高さを調節できないことからこのばらつきを解消することができないおそれがあった。
【０００９】
本発明は、上記問題点に着目してなされたもので、その目的とするところは、スイッチ取付け側パネルからのスイッチガード部の外周壁の突出量を調節可能な押釦スイッチのガード機構を提供することを目的とする。
【００１０】
【課題を解決するための手段】
上記目的を達成するため、本発明は、スイッチ操作時以外のスイッチ押込みを防止する押釦スイッチのガード機構であって、押釦スイッチを囲繞してスイッチ取付け側パネルから突出自在なスイッチガード部の外周壁にスペーサが装着自在なスペーサ装着部を形成し、前記スペーサによって前記スイッチ取付け側パネルからの前記スイッチガード部の外周壁の突出量を調節可能に構成している。
【００１１】
従って、本発明は、スイッチ取付け側パネルからのスイッチガード部の突出量を最小にしたい場合には、スペーサの装着は不要であり、一方、突出量を大にする場合には、スペーサをスペーサ装着部に装着すればよく、さらに突出量を大にする場合には装着するスペーサの数を増加させればよい。このようにスイッチガード部の突出量が調節可能であるから、スイッチ取付け側パネルの外側に設けられた化粧板とスイッチ取付け側パネルとの間隔が一定でない場合でもスイッチ取付け側パネルからの突出量を一定にすることができる。
【００１２】
また、本発明は、着脱自在な凹凸の嵌合手段により前記スイッチガード部の外周壁と前記スイッチ取付け側パネルとは直接に、または前記スペーサを介して相対回動不能に構成することが考えられる。
【００１３】
従って、本発明は、凹凸の嵌合手段によりスイッチ取付け側パネルに対するスイッチガード部の回り止めが図られているため、押釦スイッチの回動が防止されることになり、このため押釦スイッチの緩みが防止されるとともに、押釦スイッチに接続された配線のねじれも防止されることになる。
【００１４】
さらに、本発明は、前記スペーサは前記スイッチガード部の外周壁に着脱自在に嵌合可能なリング状部材から構成することが考えられる。
【００１５】
さらにまた、本発明は、前記スペーサは前記スイッチガード部の外周壁の外径よりもやや小さい内径を有する弾性リング状部材に１つの切断部を形成することによって拡開可能に形成することが考えられる。
【００１６】
従って、本発明は、スペーサの装着に際して、スペーサが拡開自在であるから、スイッチ取付け側パネルへの組み付け後の装着が可能であるとともにスペーサの寸法誤差を吸収可能であり、よってスペーサのコスト低減が可能になる。
【００１７】
さらにまた、本発明は、前記スペーサは一対の半割リングを凹凸の嵌合手段を介して着脱自在に組み付けることにより前記スイッチガード部の外周壁に嵌合可能な１つのリング状部材から構成することが考えられる。
【００１８】
従って、本発明は、スペーサが半割りリングで構成されているため、スイッチ取付け側パネルへの組み付け後の装着が可能であるとともにスペーサの一部が損傷した場合でも、一方の半割りリングを交換するだけでよく、よってコスト面で有利である。
【００１９】
さらにまた、本発明は、前記スペーサのそれぞれを異なる色彩に着色して前記スイッチガード部への取付け個数を色彩の数によって認識可能に構成することが考えられる。
【００２０】
従って、本発明は、スペーサの数を容易に認識することができる。
【００２１】
さらにまた、本発明は、スイッチ操作時以外のスイッチ押込みを防止する押釦スイッチのガード機構であって、押釦スイッチを囲繞してスイッチ取付け側パネルから突出自在なスイッチガード部の外周壁にスペーサが装着自在なスペーサ装着部を形成し、さらに前記スイッチガード部の外周壁に締結部材を取付けることにより前記スイッチガード部を前記スイッチ取付け側パネルに固定し、前記スペーサによって前記スイッチ取付け側パネルからの前記スイッチガード部の外周壁の突出量を調節可能に構成している。
【００２２】
従って、本発明は、スイッチ取付け側パネルからのスイッチガード部の突出量を最小にしたい場合には、スペーサの装着は不要であり、一方、突出量を大にする場合には、スペーサをスペーサ装着部に装着すればよく、さらに突出量を大にする場合には装着するスペーサの数を増加させればよい。このようにスイッチガード部の突出量が調節可能であるから、スイッチ取付け側パネルの外側に設けられた化粧板とスイッチ取付け側パネルとの間隔が一定でない場合でもスイッチ取付け側パネルからの突出量を一定にすることができる。
【００２３】
さらにまた、本発明は、前記締結部材は前記スイッチガード部の外周壁に螺合自在な取付けナットから構成することや、前記締結部材は、前記スイッチガード部の外周壁に形成されて軸線方向に配列された複数の歯部に噛合自在な複数の弾性爪を枠体から軸線方向に突設することが考えられる。
【００２４】
さらにまた、本発明は、前記締結部材は前記スイッチガード部の外周壁に螺合自在な前記スペーサから構成することが考えられる。
【００２５】
従って、本発明は、スペーサを締結部材に兼用することができるためコスト低減が図れる。
【００２６】
さらにまた、本発明は、スイッチ操作時以外のスイッチ押込みを防止する非常停止時に使用される押釦スイッチのガード機構であって、押釦スイッチを取付ける取付け壁部から前記押釦スイッチを囲繞する外周壁を起立してスイッチガード部を形成し、前記スイッチガード部の外周壁にスペーサが着脱自在なスペーサ装着部を形成し、前記スイッチガード部の外周壁をスイッチ取付け側パネルの開口部から摺動自在に突出させ、前記スイッチガード部の外周壁に取付けナットを螺合することにより前記スイッチガード部を前記スイッチ取付け側パネルに固定し、前記スペーサ装着部に１つないし２つ以上のスペーサを取付けることにより前記スイッチ取付け側パネルからの前記スイッチガードの外周壁の突出量を調節可能に構成している。
【００２７】
従って、本発明は、スイッチ取付け側パネルからのスイッチガード部の突出量を最小にしたい場合には、スペーサの装着は不要であり、一方、突出量を大にする場合には、スペーサをスペーサ装着部に装着すればよく、さらに突出量を大にする場合には装着するスペーサの数を増加させればよい。このようにスイッチガード部の突出量が調節可能であるから、スイッチ取付け側パネルの外側に設けられた化粧板とスイッチ取付け側パネルとの間隔が一定でない場合でもスイッチ取付け側パネルからの突出量を一定にすることができる。
【００２８】
さらにまた、本発明は、前記スイッチガード部における前記外周壁の基部を縮径して小外径部に形成し、該小外径部に前記スペーサ装着部を形成するとともに前記取付けナットを螺合自在に形成して、前記小外径部を前記スイッチ取付け側パネルの開口部から摺動自在に突出可能に形成し、前記スイッチ取付け側パネルの開口部を前記小外径部の径に対応させて縮径可能に構成することが考えられる。
【００２９】
従って、本発明は、スイッチ取付け側パネルの開口部を小さくすることができるため、スイッチ取付け側パネルの強度が増大する。
【００３０】
さらにまた、本発明は、前記スイッチガード部の前記取付け壁部と前記外周壁との境界部に油抜き孔を形成することが考えられる。
【００３１】
従って、本発明は、スイッチガード部に貯留する油は油抜き孔を介して外部に排出されるため、清浄化に要する手間を省くことができる。
【００３２】
【発明の実施の形態】
以下、本発明に係る押釦スイッチのガード機構の実施形態を図面を参照しながら説明する。
【００３３】
図１は押釦スイッチのガード機構の分解斜視図、図２はスペーサが取り外された状態を示す縦断面図、図２はスペーサが装着された状態を示す縦断面図である。
【００３４】
押釦スイッチ１は、通路側等に面する先端部側の操作部１ａを押し込むことによりスイッチオフされるようになっている。したがって、誤って人体や物体等が押釦スイッチ１の操作部１ａに触れて押し込まれることがないように、押釦スイッチ１はスイッチガード部２により囲繞されている。
【００３５】
スイッチガード部２は、中央部に透孔３が形成された取付け壁部４の外周から外周壁５を起立するとともに、外周壁５の先端部に外向きフランジ６を付設し、さらに外周壁５の外面に雄ねじ部７を形成している。この外周壁５の高さは操作部１ａの高さよりもやや高く形成されている。
【００３６】
取付け壁部４の透孔３には押釦スイッチ１の基部１ｂが挿通されており、基部１ｂはナット８により取付け壁部４に固定されている。基部１ｂにはスイッチユニット９が連結され、さらにスイッチユニット９には図示しない配線が接続可能になっている。
【００３７】
外周壁５にはリング状の複数のスペーサ１０が嵌合自在になっているとともに、雄ねじ部７に取付けナット１１が螺合可能になっている。なお、１２は取付けパネルで、工作機械等の設備に埋め込まれた図示しない筐体の開口に取付けられており、取付けパネル１２の中央部に形成された開口部１２ａにはスイッチガード部２の外周壁５が嵌合自在になっている。
【００３８】
次に作用について説明する。
【００３９】
押釦スイッチ１を筐体に取付けるには、まず押釦スイッチ１をスイッチガード部２の取付け壁部４に取付けた後、外周壁５を取付けパネル１２の開口部１２ａに挿通して外向きフランジ６を取付けパネル１２の表面に押し付け、次いで取付けナット１１を取付けパネル１２の裏面側から突出する外周壁５に螺合させればよい。
【００４０】
ところで、取付けパネル１２の外側に設置されることがある化粧板１４と取付けパネル１２との間隔Ｌが図２に示すように大きくて、押釦スイッチ１が化粧板１４の内方に位置する場合には、押釦スイッチ１の押し込みが円滑に行えない。
【００４１】
そこでこの場合には、図３に示すようにスペーサ１０を使用する。すなわち押釦スイッチ１をスイッチガード部２の取付け壁部４に取付けた後、１つないし２つ以上のスペーサ１０を外周壁５に嵌合し、次いで外周壁５を取付けパネル１２の開口部１２ａに挿通して、取付けナット１１を取付けパネル１２の裏面側から突出する外周壁５に螺合させればよい。
【００４２】
図４はスペーサ１０の変形例を示す。ここではスペーサ１０として拡開自在なリング状部材を用いる。すなわち、スイッチガード部２の外周壁５の外径よりもやや小さい内径を有する弾性リング状部材に１つの切断部１６を形成して拡開可能に形成する。
【００４３】
外周壁５に取付けるには、弾性リング状部材からなるスペーサ１０を、図４に鎖線で示すように外力を加えて外方に拡開した状態で外周壁５に嵌合させた後、外力を解除すればよい。
【００４４】
図５はスペーサ１０のさらなる他の変形例を示す。
【００４５】
この変形例では、一対の半割リングの割面の一方に凸部１７を形成するとともに他方に凹部１８を形成して、これら両半割リングを外周壁５に嵌合させて凹凸部を組み付けることにより外周壁５に取付ける。
【００４６】
なお、スペーサ１０はすべて同じ色でもよいが、それぞれ異なる色にすることも可能である。異なる色にすることにより外周壁５に取付けられたスペーサ１０の個数の認識を容易にすることができる。
【００４７】
また、図１に示すようにスイッチガード部２とスペーサ１０と取付けパネル１２とは相対回動不能に構成されている。すなわち、スイッチガード部２の外向きフランジ部６の内面に第１突起２０を形成し、またスペーサ１０の一側面に第２突起２１を形成するとともに他側面に凹部２２を形成し、さらに取付けパネル１２の開口部１２ａに、第１ないし第２突起２０、２１が嵌合可能な切欠部２３を形成する。
【００４８】
スイッチガード部２にスペーサ１０を取付けるに際しては、第１突起２０をスペーサ１０の凹部２２に嵌合させるとともに、隣接するスペーサ１０の第２突起２１を隣接する他のスペーサ１０の凹部２２に嵌合させる。
【００４９】
図６は取付けナット１１の変形例を示す。ここではスイッチガード部２の外周壁５に雄ねじ部７を形成することなく、外周壁５の複数箇所に軸線方向へ並ぶ複数の歯部２４を形成するとともに、取付けナット１１は枠体２５から軸線方向に弾性爪２６を突設し、さらに弾性爪２６の先端に、取付けパネル１２の裏面に押当自在な押当板２７を形成している。
【００５０】
図６に示す取付けナット１１を外周壁５に取付けるには、取付けパネル１２の開口部１２ａから突出する外周壁５に形成された歯部２４に弾性爪２６が噛合うように弾性爪２６を外周壁５の軸線方向に押し込んで外周壁５に嵌合させればよい。この取付け状態を示すのが図７および図８である。
【００５１】
なお、通常はスイッチガード部２を取付けパネル１２に固定するに際して取付けナット１１を使用するが、スペーサ１０を取付けナット１１に兼用させることも可能である。この場合にはスペーサ１０の内面に雌ネジ部を形成して、この雌ネジ部を取付けパネル１２から突出する外周部の雄ねじ部７に螺合させればよい。
【００５２】
図９および図１０はスイッチガード部２の変形例を示す。この変形例では、外周壁５の基部を縮径して小外径部２ａに形成し、小外径部２ａに雄ねじ部７を形成し、さらにこの小外径部２ａをスペーサ装着部に構成するとともに取付けパネル１２への挿通部に形成する。なお、外周壁５を縮径する際に形成された段部２ｂが抜け止めとしての外向きフランジ６の役割を果たす。
【００５３】
図１１はスイッチガード部２のさらなる他の変形例を示す。すなわちスイッチガード部２の角部における外周壁５と取付け壁部４とのそれぞれに油抜き孔２８を形成している点で相違する。
【００５４】
図１２は油抜き孔２８の他の例を示すもので、ここでは外周壁５と取付け壁部４とのそれぞれに形成した油抜き孔２８を連続させた点で図１１と異なっている。
【００５５】
図１３は押釦スイッチガード機構の他の実施形態を示すもので、設備３０に取付けた保護箱３１の開口部を開閉する扉３２に取付け孔３３を形成するとともに、保護箱３１内に筐体を収容して、筐体の取付けパネル１２に押釦スイッチ１が組み付けられたスイッチガード部２を取付けるとともに、取付け孔３３からスイッチガード部２の外周壁５の先端を突出させている。
【００５６】
本実施形態においても取付けパネル１２からのスイッチガード部２の外周壁５の突出量はスペーサ１０で調節する点は同様であるが、さらに保護箱３１の扉３２からの外周壁５の突出量を他の構成要素により調節可能としている点で異なっている。
【００５７】
すなわち保護箱３１の高さＬ１と取付けパネル１２と扉３２との間隔Ｌ２と扉３２の厚さＬ３との総和によって調節可能としている。その他の構成は第１実施形態と同一であるから説明を省略する。
【００５８】
【発明の効果】
本発明は、スイッチ取付け側パネルからのスイッチガード部の突出量を最小にしたい場合には、スペーサの装着は不要であり、一方、突出量を大にする場合には、スペーサをスペーサ装着部に装着すればよく、さらに突出量を大にする場合には装着するスペーサの数を増加させればよい。このようにスイッチガード部の突出量が調節可能であるから、スイッチ取付け側パネルの外側に設けられた化粧板とスイッチ取付け側パネルとの間隔が一定でない場合でもスイッチ取付け側パネルからの突出量を一定にすることができる。
【図面の簡単な説明】
【図１】本発明に係るスイッチガード機構の分解斜視図である。
【図２】同じく、スペーサが装着されていない状態を示す断面図である。
【図３】同じく、スペーサが装着された状態を示す断面図である。
【図４】同じく、スペーサの変形例を示す平面図である。
【図５】同じく、スペーサの他の変形例を示す平面図である。
【図６】同じく、取付けナットの変形例を示す斜視図である。
【図７】同じく、図６の取付けナットの断面図である。
【図８】同じく、図７のＡ部における拡大断面図である。
【図９】同じく、スイッチガード部の変形例を示すもので、スペーサがない状態を示す断面図である。
【図１０】同じく、スイッチガード部の他の変形例を示すもので、スペーサ装着状態を示す断面図である。
【図１１】同じく、スイッチガード部の更なる他の変形例を示す半断面図である。
【図１２】同じく、スイッチガード部の更なる他の変形例を示す半断面図である。
【図１３】押釦スイッチのガード機構の第２実施形態を示す断面図である。
【図１４】従来例の斜視図である。
【符号の説明】
１  押釦スイッチ
２  スイッチガード部
５  外周壁
１０  スペーサ
１１  取付けナット
１２  取付けパネル
【図１】
2004207036.tif 000003
【図２】
2004207036.tif 000004
【図３】
2004207036.tif 000005
【図４】
2004207036.tif 000006
【図５】
2004207036.tif 000007
【図６】
2004207036.tif 000008
【図７】
2004207036.tif 000009
【図８】
2004207036.tif 000010
【図９】
2004207036.tif 000011
【図１０】
2004207036.tif 000012
【図１１】
2004207036.tif 000013
【図１２】
2004207036.tif 000014
【図１３】
2004207036.tif 000015
【図１４】
2004207036.tif 000016